(57)【要約】      （修正有）【課題】内開きの門扉に設置しても、回動体と地面の接触がなく、風が吹いても回動体がばたばたしない小動物進入防止具を提供する。【解決手段】門扉等の下方隙間を塞ぐ小動物進入防止具１０である。上方固定部材２の下部において前方向に延出するストッパー部材３と、上方固定部材２の前面の左右両側に前方へ突出して付設される上下方向に延びるガイド穴を有するガイド部４と、ガイド部４のガイド穴４１に両端部が上下移動自在に挿通される長尺の横棒部材と、横棒部材をガイド部４のガイド穴に固定及び固定を解除する固定部材６と、横棒部材に取り付けられ、裏面とストッパー部材４の先端とが当接することで、後方への回動が規制され、自然状態において該構造物の下方隙間を閉じる横方向に連続状の下方回動板７と、を備え、下方回動板７は、ストッパー部材４の先端と当接する状態において、前方下り傾斜状に設置される。【選択図】図１
0003188859.tif 000002
【実用新案登録請求の範囲】
【請求項１】
門扉等の構造物の下方隙間を塞ぐように設置されるものであって、
該構造物に固定される取り付け部と、
該取り付け部の前面に固定され下端が、該取り付け部より下方に延びる横方向に連続状の上方固定部材と、
該上方固定部材の下部において前方向に延出するように付設されるストッパー部材と、
該上方固定部材の前面の左右両側に前方へ突出して付設される上下方向に延びるガイド穴を有するガイド部と、
該ガイド部のガイド穴に両端部が上下移動自在に挿通される長尺の横棒部材と、
該横棒部材を該ガイド部のガイド穴に固定及び固定を解除する固定部材と、
該横棒部材に取り付けられ、裏面と該ストッパー部材の先端とが当接することで、後方への回動が規制され、自然状態において該構造物の下方隙間を閉じる横方向に連続状の下方回動板と、を備え、
該下方回動板は、該ストッパー部材の先端と当接する状態において、前方下り傾斜状に設置されることを特徴とする小動物進入防止具。
【請求項２】
所定の縦横寸法を有する平板の下端部を略９０度屈曲させ、該屈曲されて前方へ延びる突出部をストッパー部材とし、それ以外を上方固定部材としたものであることを特徴とする請求項１記載の小動物進入防止具。
【請求項３】
該下方回動板には、貫通穴が形成されていることを特徴とする請求項１又は２記載の小動物進入防止具。
【請求項４】
該上方固定部材には、貫通穴が形成されていることを特徴とする請求項１〜３のいずれか１項に記載の小動物進入防止具。
【請求項５】
金属製であることを特徴とする請求項１〜４のいずれか１項に記載の小動物進入防止具。
【請求項６】
該取り付け部は、上方が開口するコ字断面形状の嵌合部を有するか、又は下方が開口するコ字断面形状の嵌合部を有することを特徴とする請求項１〜５のいずれか１項に記載の小動物進入防止具。
【請求項７】
該取り付け部は、該上方固定部材の裏面の左右両側に付設されたものであることを特徴とする請求項１〜６のいずれか１項に記載の小動物進入防止具。
【請求項８】
該取り付け部は、該上方固定部材の裏面の左右両側及び横方向中央に付設されたものであることを特徴とする請求項１〜６のいずれか１項に記載の小動物進入防止具。
【請求項９】
該上方固定部材は薄板であることを特徴とする請求項１〜８のいずれか１項に記載の小動物進入防止具。
【請求項１０】
該下方回動板は薄板であることを特徴とする請求項１〜９のいずれか１項に記載の小動物進入防止具。
【考案の詳細な説明】
【技術分野】
【０００１】
住宅の門扉等の構造物の下方隙間から猫などの小動物が進入することを防止する構造物に固定して使用する小動物進入防止具に関するものである。
【背景技術】
【０００２】
一般的に、住宅等の門扉は、機能や使い勝手の観点から下方隙間が生じている。この隙間は１０ｃｍ程度ではあるものの、猫等の小動物の行き来ができ、住民にとっては悩みの種である。住宅の門扉等の構造物の下方隙間から猫などの小動物が進入することを防止するものとしては、水を入れたペットボトルを下方隙間に並べて塞いでいる方法が知られている。このような方法は必ずしも有効な方法とは言えず、また、住宅の美観を害するため、有効な小動物進入防止具の開発が望まれている。
【０００３】
門扉等に固定する小動物進入防止具としては、例えば、図７に示すように、構造物１０１の取り付け部１０２に回動自在に設置されるもので、前方へ傾斜状とし先端部をやや前方へ屈曲させ、先端１０３と地面Ｇを近接させた回動板１００が知られている。この回動板１００であれば、小動物が外から内へ入ろうとすると、回動板１００が後方に回動し、回動板１００の先端と地面が接することで回動が規制され、小動物の進入を防止する。また、内にいる小動物は外へ出る際、回動板１００を押すことで、回動板１００が前方（図６中、符号Ｘ方向）に回動し、隙間を開けるため、容易に出れる。
【考案の概要】
【考案が解決しようとする課題】
【０００４】
しかしながら、図７に示す小動物進入防止具は、例えば内開きの門扉に設置すると、門扉を開く度に、回動板１００の先端が地面Ｇと接触するため、損傷が起きると共に、摩擦音により不快感を与えるという問題がある。また、強風が吹くと、回動体１００が内側に回転し、回動板１００の先端と地面Ｇと接触して異音を発生するという問題がある。
【０００５】
従って、本考案の目的は、内開きの門扉に設置しても、回動体と地面の接触がなく、風が吹いても回動体がばたばたしない小動物進入防止具を提供することにある。
【０００６】
すなわち、本考案は、上記従来の課題を解決したものであって、門扉等の構造物の下方隙間を塞ぐように設置されるものであって、該構造物に固定される取り付け部と、該取り付け部の前面に固定され下端が、該取り付け部より下方に延びる横方向に連続状の上方固定部材と、該上方固定部材の下部において前方向に延出するように付設されるストッパー部材と、該上方固定部材の前面の左右両側に前方へ突出して付設される上下方向に延びるガイド穴を有するガイド部と、該ガイド部のガイド穴に両端部が上下移動自在に挿通される長尺の横棒部材と、該横棒部材を該ガイド部のガイド穴に固定及び固定を解除する固定部材と、該横棒部材に取り付けられ、裏面と該ストッパー部材の先端とが当接することで、後方への回動が規制され、自然状態において該構造物の下方隙間を閉じる横方向に連続状の下方回動板と、を備え、該下方回動板は、該ストッパー部材の先端と当接する状態において、前方下り傾斜状に設置されることを特徴とする小動物進入防止具を提供するものである。
【０００７】
また、本考案は、所定の縦横寸法を有する平板の下端部を略９０度屈曲させ、該屈曲されて前方へ延びる突出部をストッパー部材とし、それ以外を上方固定部材としたものであることを特徴とする前記小動物進入防止具を提供するものである。
【０００８】
また、本考案は、該下方回動板には、貫通穴が形成されていることを特徴とする前記小動物進入防止具を提供するものである。
【０００９】
また、本考案は、該上方固定部材には、貫通穴が形成されていることを特徴とする前記小動物進入防止具を提供するものである。
【００１０】
また、本考案は、金属製であることを特徴とする前記小動物進入防止具を提供するものである。
【００１１】
また、本考案は、該取り付け部は、上方が開口するコ字断面形状の嵌合部を有するか、又は下方が開口するコ字断面形状の嵌合部を有することを特徴とする前記小動物進入防止具を提供するものである。
【００１２】
また、本考案は、該取り付け部は、該上方固定部材の裏面の左右両側に付設されたものであることを特徴とする前記小動物進入防止具を提供するものである。
【００１３】
また、本考案は、該取り付け部は、該上方固定部材の裏面の左右両側及び横方向中央に付設されたものであることを特徴とする前記小動物進入防止具を提供するものである。
【００１４】
また、本考案は、該上方固定部材は薄板であることを特徴とする前記小動物進入防止具を提供するものである。
【００１５】
また、本考案は、該下方回動板は薄板であることを特徴とする前記小動物進入防止具を提供するものである。
【考案の効果】
【００１６】
本考案によれば、内開きの門扉に設置しても、回動体と地面の接触がなく、風が吹いても回動体がばたばたしない。また、下方回動板の設置高さを調整できるため、門扉等の構造物の下方の隙間高さが異なるものにも適用できる。
【図面の簡単な説明】
【００１７】
【図１】本考案の実施の形態における小動物進入防止具の側面図である。
【図２】図１の小動物進入防止具の正面図である。
【図３】図１の小動物進入防止具の背面図である。
【図４】固定部材の説明図である。
【図５】図１の小動物進入防止具の使用箇所を示す図である。
【図６】狭い隙間に使用する図１の小動物進入防止具の正面図である。
【図７】従来の小動物進入防止具の側面図である。
【考案を実施するための形態】
【００１８】
次に、本考案の実施の形態における小動物進入防止具（以下、単に「進入防止具」とも言う。）を図１〜図６を参照して説明する。本明細書中、「上下」、「横方向」及び「前方」は構造物に設置された状態（使用状態）において、外から内を見た正面視における方向を言う。
【００１９】
進入防止具１０は、門扉等の構造物２０の下方隙間を塞ぐように設置される（図５参照）。このような下方隙間から猫などの小動物の進入を防止するためである。進入防止具１０は、構造物に固定される取り付け部１を有する。構造物が門扉３０の場合、門扉３０の最下の横部材２０に設置すればよい。取り付け部１としては、特に限定されないが、図１に示すような下方が開口するコ字断面形状の嵌合部１１を有するものが挙げられる。また、横部材の形状によっては、上方が開口するコ字断面形状の嵌合部を有するものを使用してもよい。取り付けは、コ字断面形状の嵌合部１１を横部材２０に嵌合し、ボルト７やビス等の固定部材１２により横部材２０に固定部材の先端部を押し込むようにして締付けることが、固定が安定する点で好ましい。取り付け部１は、上方固定部材２の上部に取り付けられるが、図３のように、上方固定部材２の左右両側に一対で使用してもよく、更に中央に１個設けてもよく、また、横方向全域に連続して形成してもよい。なお、横部材２０への取り付け部１の固定方法は公知の種々の方法が適用できる。
【００２０】
進入防止具１０は、取り付け部１の前面に固定され下端が、取り付け部１より下方に延びる横方向に連続状の上方固定部材２を備える。上方固定部材２は、隙間の上方部分を塞ぐと共に、ストッパー部材３とガイド部４を設置するための部材として機能する。上方固定部材２は、本例では、薄板で所定の高さを有し、隙間を塞ぐに十分な横方向長さを有する板状体である。上方固定部材２は取り付け部１に固定されており、構造物と一体である。上方固定部材２の上下方向長さ（高さ）は、ストッパー部材３の設置位置を下端とする寸法で決定すればよい。上方固定部材２の上下方向長さが長過ぎると、下方隙間が小となり、内に迷い込んだ小動物が出られなくなる。上方固定部材２には、風通しを目的とする貫通穴が形成されていてもよい。貫通穴は、小動物が通らず、上方固定部材２の強度が低下しない程度に大きくするか、または多数形成することが好ましい。
【００２１】
進入防止具１０は、上方固定部材２の下部において前方向に延出するように付設されるストッパー部材３を備える。ストッパー部材３は、下方回動板７の後方回動を阻止する機能を有するものである。すなわち、ストッパー部材３は、下方回動板７の後方に位置し、ストッパー部材３の前端が下方回動板７の裏面と当接することで下方回動板７の後方回動を阻止する。ストッパー部材３の先端は、下方回動板７の上下方向中央よりやや上方の位置に当たるように決定すればよい。この位置で下方回動板７の後方回動は十分阻止できると共に、小動物が外にでられる隙間を確保することができる。ストッパー部材３は、所定の縦横寸法を有する平板の下端部を略９０度屈曲させ、屈曲されて前方へ延びる突出部をストッパー部材３とすればよい。薄肉平板を曲げ加工するだけでストッパー部材３が得られ都合がよい。この場合、ストッパー部材３を除く部分が、上方固定部材２となる。ストッパー部材３の前方への突出長さは、下方回動板７が少し前方下り傾斜となるように決定される。ストッパー部材３の前方への突出長さが、下方回動板７が鉛直方向に延びるようにしたのでは、風が吹くと下方回動体がばたばたと揺れ、そのたびに異音が生じてしまう。一方、本考案のように、下方回動板７が少し前方下り傾斜で支持されていれば、下方回動体７の全体重量がストッパー部材３にかかり、少しの強めの風によってもばたばたすることがない。ストッパー部材３は屈曲された突出部に限定されず、上方固定部材２に溶着する方法で形成してもよい。この場合、上方固定部材２の横方向の一部に形成させればよい。
【００２２】
進入防止具１０は、上方固定部材２の前面の左右両側に前方へ突出して付設される上下方向に延びるガイド穴４１を有するガイド部４を備える。ガイド部４は、下方回動板７の上下方向の移動をガイドとすると共に、下方回動板７を固定する固定部として機能する。すなわち、ガイド部４は、長方形の板状体の中がくり抜かれた形状であり、これを一対使用し、縦置き形状で且つ貫通穴であるガイド穴４１が側面視で観察される位置で上方固定部材２の両側に固定される。これにより、横棒部材５がガイド穴４１に遊嵌し、ガイド穴４１の長さ分、上下方向への移動が自在となる。ガイド部４は、上部固定板２に溶着すればよい。なお、ガイド部４の下端は、図１では、ストッパー部材３より上方にあるが、これに限定されず、例えば、ガイド部４の下端は、ストッパー部材３と同じ高さにあってもよい。これにより、上方固定部材２およびストッパー部材３の強度が高まる。
【００２３】
進入防止具１０は、ガイド部４のガイド穴４１に両端部が上下移動自在に挿通される長尺の横棒部材５を備える。横棒部材５には下方回動板７が取り付けられる。横棒部材５長さは両端のガイド部４間の長さよりやや長い。これにより、横棒部材５の両端部を、ガイド部４のガイド穴４１に嵌めることができる。
【００２４】
進入防止具１０は、横棒部材５をガイド部４のガイド穴４１に固定及び固定を解除する固定部材６を備える。固定部材６としては、図４に示す穴明きボルト６１とナット６２が挙げられる。ボルト６１の軸中心を貫通する穴６３は、横棒部材５が挿通するものであり、横棒部材５の外径よりやや大である。横棒部材５をガイド部４に固定するには、予め、ナット６２を横棒部材５のガイド部４の内側にくるように、ナット穴に横棒部材を通しておく。次いで、ボルト６１の貫通穴６３に横棒部材５の端部を挿入して、ボルト軸６４をガイド部４５の外側からガイド穴４１に差し込み、ナット６２で締付ける。すなわち、ボルト６１とナット６２でガイド部４を挟み込む。これにより、横棒部材５の上下方向の位置が決定される。
【００２５】
進入防止具１０は、横棒部材５に取り付けられる所定の高さ寸法と横方向に連続状の下方回動板７を備える。下方回動板は所定の高さと両端のガイド部間よりやや小の長さを有する薄肉板状体が使用できる。下方回動板７の横棒部材５への取り付けは、特に制限されず、一部または横方向全部であってもよく、例えば、直接溶着による固定方法あるいは板状体の上端部を丸め込み、この丸め込み部７２の穴に、横棒部材５を挿入しカシメ等により固定する方法が挙げられる。なお、下方回動板７は横棒部材５に回動自在に固定してもよい。この場合、ガイド部４への横棒部材５の取り付けは、公知の固定方法により、固定部材により回動不能に固定してもよい。
【００２６】
下方回動板７は、上端で支持され吊り下げ状態にあるため、そのままでは鉛直方向、すなわち真下に垂れ下がる。本考案では、ストッパー部材３が下方回動板７の後方に位置し、下方回動板７を後ろから少し前方に押すため、下方回動板は、前方下り傾斜状にセットされる。すなわち、下方回動板７は、ストッパー部材３の先端と当接する状態において、傾斜角度αで前方下り傾斜状に設置される（図１参照）。この傾斜は少しで十分であり、具体的には５度〜２０度の間で適宜決定すればよい。これにより、下方回動体７の全体重量がストッパー部材３にかかり、少しの風でばたばたすることがない。また、下方回動体７の裏面とストッパー部材３の先端とが当接しているため、後方への回動が規制され、小動物の進入を防止する。また、このセット状態（自然状態）において構造物２０の下方隙間を閉じる。下方隙間は、完全に塞ぐ必要はなく、小動物の進入を防止できる程度の隙間はあってもよい。また、下方回動体７の下端と地面が直接接触しておらず、門扉の開閉などがあっても障害とはならない。下方回動板７には、貫通穴７２が形成されていてもよい。これにより、風通しをよくすることができる。貫通穴７２は、小動物が通らず、上方固定部材２の強度が低下しない程度に大きくするか、または多数形成することが好ましい。また、貫通穴７２の形状は適宜決定すればよい。
【００２７】
本考案の小動物進入防止具１０は、図５に示すように、門扉の下部、例えば、門扉の最下の横部材に、取り付け部１を固定することで設置される。下方回動板７のガイド部４における設置位置は、門扉の下方隙間の隙間高さにより決定する。調整は固定部材６の固定を解除し、ガイド部４のガイド穴４１内を滑らせることで位置決めし、固定部材６で固定すればよい。なお、門扉の下方隙間（高さ方向）が小さい場合、横棒部材５をガイド穴４１の上方にセットし、下方回動板７を上方に上げることになる（図６参照）。小動物進入防止具１０は、常設であるが、それでも門扉の開閉に支障はない。また、風が吹いてもばたばたすることはなく、異音の発生もない。また、下方回動板７に貫通穴を形成させれば、風通しもよい。また、小動物が外から進入を試みても、下方回動板７はストッパー３で後方への回動を阻止されており、下方隙間を開けることがない。一方、内に迷い込んだ小動物は、下方回動板７を内側から押すため、下方回動板７は前方へ回動し、下方隙間を開けて外へでれる。
【００２８】
本考案の進入防止具は、金属製が好ましい。特に下方回動板７はアルミ板とすることが、軽量、加工性、耐腐食性、美観などの点で好ましい。また、進入防止具は、上記実施の形態例に限定されず、種々の変形を採ることが出来る。例えば、上方固定部材は、上記形態に限定されず、上下横部材及び左右縦部材で枠体を形成し、枠体内に横桟部材、縦桟部材またはこれらを組み合わせた格子状としてもよい。このような上方固定部材であっても、ガイド部４やストッパー部材３を設置することができる。また、横棒部材５と下方回動板７は上記形態に限定されず、横棒部材５が、下方回動板７の上端両側から外側へ突出するようなものであってもよい。すなわち、下方回動板７にカイド穴４１に挿入される係止部（横棒部材）が予め付設されているようなものである。これであっても、横棒部材５は係止部として十分に機能する。
【産業上の利用可能性】
【００２９】
本考案によれば、風が吹いても回動体がばたばたしないため、隣人への迷惑とならない。また、下方回動板の設置高さを調整できるため、門扉等の構造物の下方の隙間高さが異なるものにも適用できる。
【符号の説明】
【００３０】
１    取り付け部
２    上方固定部材
３    ストッパー部材
４    ガイド部
５    横棒部材
６    固定部材
７    下方回動板
１０    小動物進入防止具
【図１】
0003188859.tif 000003
【図２】
0003188859.tif 000004
【図３】
0003188859.tif 000005
【図４】
0003188859.tif 000006
【図５】
0003188859.tif 000007
【図６】
0003188859.tif 000008
【図７】
0003188859.tif 000009